(57)【要約】【課題】ガス警報器によるガス漏れ検知を監視する第１検出部で監視を行っている場合に、ガス警報器の接続状態を監視する第２検出部に無駄な電流が流れることを回避する。【解決手段】一端が接続切替えスイッチＳＷ１の他端に接続され、他端が第２検出部１０３の入力端子に接続される接続切替えスイッチＳＷ４を備えた。【選択図】図１
2018025501.tif 000002
【特許請求の範囲】
【請求項１】
一端が、電流を供給する電源に接続され、他端が、ガス警報器が有する一対の入出力端子のうちの一方に接続される第１出力切替えスイッチと、
一端が前記電源に接続され、他端が、前記一対の入出力端子のうちの他方、及び、前記ガス警報器によるガス漏れ検知を監視する第１検出部の入力端子に接続される第２出力切替えスイッチと、
一端が前記一対の入出力端子のうちの一方に接続され、他端が接地される接地切替えスイッチと、
一端が前記第１出力切替えスイッチの他端に接続され、他端が、前記ガス警報器の接続状態を監視する第２検出部の入力端子に接続される第１入力切替えスイッチと、
前記第１，２出力切替えスイッチ及び前記接地切替えスイッチを制御する制御部と
を備えたインタフェース回路。
【請求項２】
前記制御部は、
前記ガス警報器によるガス漏れ検知を監視する場合に、前記第１出力切替えスイッチをオンに切替え、前記第２出力切替えスイッチ、前記接地切替えスイッチ及び前記第１入力切替えスイッチはオフとする状態確認部と、
前記ガス警報器の接続状態を監視する場合に、前記第２出力切替えスイッチ及び前記第１入力切替えスイッチをオンに切替え、前記第１出力切替えスイッチ及び前記接地切替えスイッチはオフとする接続確認部と、
前記ガス警報器に対してコマンド信号を送る場合に、前記第２出力切替えスイッチ及び前記接地切替えスイッチをオンに切替え、前記第１出力切替えスイッチ及び前記第１入力切替えスイッチはオフとするコマンド送信部とを有する
ことを特徴とする請求項１記載のインタフェース回路。
【請求項３】
アノードが前記第２出力切替えスイッチの他端に接続され、カソードが前記一対の入出力端子のうちの他方及び前記第１検出部の入力端子に接続される第１ダイオードを備え、
前記第２出力切替えスイッチは、前記第１ダイオードを介して、他端が前記一対の入出力端子のうちの他方及び前記第１検出部の入力端子に接続され、
前記第１入力切替えスイッチは、前記第２出力切替えスイッチと前記第１ダイオードとの間に流れる電流により動作する
ことを特徴とする請求項１記載のインタフェース回路。
【請求項４】
前記制御部は、
前記ガス警報器によるガス漏れ検知を監視する場合に、前記第１出力切替えスイッチをオンに切替え、前記第２出力切替えスイッチ及び前記接地切替えスイッチはオフとする状態確認部と、
前記ガス警報器の接続状態を監視する場合に、前記第２出力切替えスイッチをオンに切替え、前記第１出力切替えスイッチ及び前記接地切替えスイッチはオフとする接続確認部と、
前記ガス警報器に対してコマンド信号を送る場合に、前記第２出力切替えスイッチ及び前記接地切替えスイッチをオンに切替え、前記第１出力切替えスイッチはオフとするコマンド送信部とを有する
ことを特徴とする請求項３記載のインタフェース回路。
【請求項５】
一端が前記一対の入出力端子のうちの他方に接続され、他端が前記第１検出部の入力端子に接続される第２入力切替えスイッチを備え、
前記第２出力切替えスイッチは、前記第２入力切替えスイッチを介して、他端が前記第１検出部の入力端子に接続される
ことを特徴とする請求項１記載のインタフェース回路。
【請求項６】
前記制御部は、
前記ガス警報器によるガス漏れ検知を監視する場合に、前記第１出力切替えスイッチ及び前記第２入力切替えスイッチをオンに切替え、前記第２出力切替えスイッチ、前記接地切替えスイッチ及び前記第１入力切替えスイッチはオフとする状態確認部と、
前記ガス警報器の接続状態を監視する場合に、前記第２出力切替えスイッチ及び前記第１入力切替えスイッチをオンに切替え、前記第１出力切替えスイッチ、前記接地切替えスイッチ及び前記第２入力切替えスイッチはオフとする接続確認部と、
前記ガス警報器に対してコマンド信号を送る場合に、前記第２出力切替えスイッチ及び前記接地切替えスイッチをオンに切替え、前記第１出力切替えスイッチ及び前記第１，２入力切替えスイッチはオフとするコマンド送信部とを有する
ことを特徴とする請求項５記載のガス警報器インタフェース。
【請求項７】
一端が前記一対の入出力端子のうちの他方に接続され、他端が前記第１検出部の入力端子に接続される第２入力切替えスイッチを備え、
前記第２出力切替えスイッチは、前記第２入力切替えスイッチを介して、他端が前記第１検出部の入力端子に接続される
ことを特徴とする請求項３記載のインタフェース回路。
【請求項８】
前記制御部は、
前記ガス警報器によるガス漏れ検知を監視する場合に、前記第１出力切替えスイッチ及び前記第２入力切替えスイッチをオンに切替え、前記第２出力切替えスイッチ及び前記接地切替えスイッチはオフとする状態確認部と、
前記ガス警報器の接続状態を監視する場合に、前記第２出力切替えスイッチをオンに切替え、前記第１出力切替えスイッチ、前記接地切替えスイッチ及び前記第２入力切替えスイッチはオフとする接続確認部と、
前記ガス警報器に対してコマンド信号を送る場合に、前記第２出力切替えスイッチ及び前記接地切替えスイッチをオンに切替え、前記第１出力切替えスイッチ及び前記第２入力切替えスイッチはオフとするコマンド送信部とを有する
ことを特徴とする請求項７記載のインタフェース回路。
【請求項９】
アノードが前記第１出力切替えスイッチの他端に接続され、カソードが前記一対の入出力端子のうちの一方及び前記第１入力切替えスイッチの一端に接続される第２ダイオードを備え、
前記第１出力切替えスイッチは、前記第２ダイオードを介して、他端が前記一対の入出力端子のうちの一方に接続され、
前記第２入力切替えスイッチは、前記第１出力切替えスイッチと前記第２ダイオードとの間に流れる電流により動作する
ことを特徴とする請求項５記載のインタフェース回路。
【請求項１０】
前記制御部は、
前記ガス警報器によるガス漏れ検知を監視する場合に、前記第１出力切替えスイッチをオンに切替え、前記第２出力切替えスイッチ、前記接地切替えスイッチ及び前記第１入力切替えスイッチはオフとする状態確認部と、
前記ガス警報器の接続状態を監視する場合に、前記第２出力切替えスイッチ及び前記第１入力切替えスイッチをオンに切替え、前記第１出力切替えスイッチ及び前記接地切替えスイッチはオフとする接続確認部と、
前記ガス警報器に対してコマンド信号を送る場合に、前記第２出力切替えスイッチ及び前記接地切替えスイッチをオンに切替え、前記第１出力切替えスイッチ及び前記第１入力切替えスイッチはオフとするコマンド送信部とを有する
ことを特徴とする請求項９記載のインタフェース回路。
【請求項１１】
アノードが前記第１出力切替えスイッチの他端に接続され、カソードが前記一対の入出力端子のうちの一方及び前記第１入力切替えスイッチの一端に接続される第２ダイオードを備え、
前記第１出力切替えスイッチは、前記第２ダイオードを介して、他端が前記一対の入出力端子のうちの一方に接続され、
前記第２入力切替えスイッチは、前記第１出力切替えスイッチと前記第２ダイオードとの間に流れる電流により動作する
ことを特徴とする請求項７記載のインタフェース回路。
【請求項１２】
前記制御部は、
前記ガス警報器によるガス漏れ検知を監視する場合に、前記第１出力切替えスイッチをオンに切替え、前記第２出力切替えスイッチ及び前記接地切替えスイッチはオフとする状態確認部と、
前記ガス警報器の接続状態を監視する場合に、前記第２出力切替えスイッチをオンに切替え、前記第１出力切替えスイッチ及び前記接地切替えスイッチはオフとする接続確認部と、
前記ガス警報器に対してコマンド信号を送る場合に、前記第２出力切替えスイッチ及び前記接地切替えスイッチをオンに切替え、前記第１出力切替えスイッチはオフとするコマンド送信部とを有する
ことを特徴とする請求項１１記載のインタフェース回路。
【発明の詳細な説明】
【技術分野】
【０００１】
この発明は、ガス警報器と、ガス警報器によるガス漏れ検知を監視する第１検出部及びガス警報器の接続状態を監視する第２検出部とを接続するインタフェース回路に関する。
【背景技術】
【０００２】
電子式ＬＰガスメータのコントローラ回路は、リチウム１次電池にて１０年間、確実に駆動（計量機能、保安及び通信機能を実施）しなければならないため、回路全体の低消費電力化が求められている。このコントローラ回路としては、例えば特許文献１に開示された構成が知られている。このコントローラ回路では、入力電流を検出することでガス警報器によるガス漏れ検知を監視する検出部（第１検出部と称す）と、入力電流を検出することでガス警報器の接続状態を監視する検出部（第２検出部と称す）と、ガス警報器と第１検出部及び第２検出部とを接続するインタフェース回路とが設けられている。そして、コントローラ回路は、ガス警報器がガス漏れを検知した場合には、遮断弁によりガス流路を遮断させる。
【先行技術文献】
【特許文献】
【０００３】
【特許文献１】特開２００１−１８３２０７号公報
【発明の概要】
【発明が解決しようとする課題】
【０００４】
しかしながら、従来のインタフェース回路では、使用していない検出部に、無駄な電流が流れてしまうという課題がある。特に、第１検出部でガス漏れ検知を監視するための電流は約１秒間隔という高頻度で流す必要があるが、この電流の一部が第２検出部にも流れてしまい、低消費電力化の妨げとなっている。実際、従来のインタフェース回路全体の平均消費電流に対し、ガス漏れ検知を監視するための電流に由来する無駄な電流が約７割も占めている。
【０００５】
この発明は、上記のような課題を解決するためになされたもので、ガス警報器と、ガス警報器によるガス漏れ検知を監視する第１検出部及びガス警報器の接続状態を監視する第２検出部とを接続するインタフェース回路において、第１検出部で監視を行っている場合に、第２検出部に無駄な電流が流れることを回避できるインタフェース回路を提供することを目的としている。
【課題を解決するための手段】
【０００６】
この発明に係るインタフェース回路は、一端が、電流を供給する電源に接続され、他端が、ガス警報器が有する一対の入出力端子のうちの一方に接続される第１出力切替えスイッチと、一端が電源に接続され、他端が、一対の入出力端子のうちの他方、及び、ガス警報器によるガス漏れ検知を監視する第１検出部の入力端子に接続される第２出力切替えスイッチと、一端が一対の入出力端子のうちの一方に接続され、他端が接地される接地切替えスイッチと、一端が第１出力切替えスイッチの他端に接続され、他端が、ガス警報器の接続状態を監視する第２検出部の入力端子に接続される第１入力切替えスイッチと、第１，２出力切替えスイッチ及び接地切替えスイッチを制御する制御部とを備えたことを特徴とする。
【発明の効果】
【０００７】
この発明によれば、上記のように構成したので、ガス警報器と、ガス警報器によるガス漏れ検知を監視する第１検出部及びガス警報器の接続状態を監視する第２検出部とを接続するインタフェース回路において、第１検出部で監視を行っている場合に、第２検出部に無駄な電流が流れることを回避できる。
【図面の簡単な説明】
【０００８】
【図１】この発明の実施の形態１に係るインタフェース回路を有するコントローラ回路の構成例を示すブロック図である。
【図２】この発明の実施の形態１に係るインタフェース回路を有するコントローラ回路の構成例を示す回路図である。
【図３】この発明の実施の形態１における接続切替えスイッチの動作タイミングを示す図である。
【図４】この発明の実施の形態２に係るインタフェース回路を有するコントローラ回路の構成例を示すブロック図である。
【図５】この発明の実施の形態２における接続切替えスイッチの動作タイミングを示す図である。
【図６】この発明の実施の形態３に係るインタフェース回路を有するコントローラ回路の構成例を示すブロック図である。
【図７】この発明の実施の形態３における接続切替えスイッチの動作タイミングを示す図である。
【図８】この発明の実施の形態４に係るインタフェース回路を有するコントローラ回路の構成例を示すブロック図である。
【図９】この発明の実施の形態４に係るインタフェース回路を有するコントローラ回路の別の構成例を示すブロック図である。
【図１０】図９に示す構成における接続切替えスイッチの動作タイミングを示す図である。
【発明を実施するための形態】
【０００９】
以下、この発明の実施の形態について図面を参照しながら詳細に説明する。
実施の形態１．
図１はこの発明の実施の形態１に係るインタフェース回路を有するコントローラ回路１の構成例を示すブロック図であり、図２は当該コントローラ回路１の構成例を示す回路図である。なお、図１ではコントローラ回路１にガス警報器２が接続された状態を示し、図２では制御部１０４の図示を省略している。
コントローラ回路１は、ガス警報器２の接続状態及びガス漏れ検知を監視する。そして、コントローラ回路１は、ガス警報器２が未接続状態である場合及びガス警報器２によりガス漏れが検知された場合には、遮断弁（不図示）により、ＬＰガスが供給されるガス流路（不図示）を遮断させる。
【００１０】
なお、ガス警報器２は、ガス漏れを検知して発報を行うＬＰガス用の警報器であり、フォトカプラＰＣ１，ＰＣ２及び一対の入出力端子を有している。
【００１１】
フォトカプラＰＣ１は、ガス警報器２がガス漏れを検知することでオン（ショート）する素子であり、フォトトランジスタ及びフォトダイオード（不図示）を有する。このフォトトランジスタは、コレクタが上記一対の入出力端子のうちの一方に接続され、エミッタが当該一対の入出力端子のうちの他方に接続されている。
【００１２】
フォトカプラＰＣ２は、コントローラ回路１からの信号を受ける素子であり、フォトダイオード及びフォトトランジスタ（不図示）を有する。このフォトダイオードは、カソードが上記一対の入出力端子のうちの一方に接続され、アノードが当該一対の入出力端子のうちの他方に接続されている。
【００１３】
また、コントローラ回路１は、電源（第１，２電源）１０１、第１，２検出部１０２，１０３、接続切替えスイッチＳＷ１〜ＳＷ４及び制御部１０４を有している。
【００１４】
電源１０１は、電流を供給する。この電源１０１としては、例えばリチウム１次電池が用いられる。
【００１５】
第１検出部１０２は、入力電流を検出することで、ガス警報器２によるガス漏れ検知を監視する。この第１検出部１０２による監視結果は制御部１０４に通知される。
第２検出部１０３は、入力電流を検出することで、ガス警報器２の接続状態を監視する。この第２検出部１０３による監視結果は制御部１０４に通知される。
【００１６】
接続切替えスイッチ（第１出力切替えスイッチ）ＳＷ１は、信号線の接続及び解除を切替えるスイッチ回路であり、一端が電源１０１に接続され、他端が、ガス警報器２が有する一対の入出力端子のうちの一方に接続される。この接続切替えスイッチＳＷ１は、例えばトランジスタから構成される。
【００１７】
接続切替えスイッチ（第２出力切替えスイッチ）ＳＷ２は、信号線の接続及び解除を切替えるスイッチ回路であり、一端が電源１０１に接続され、他端が上記一対の入出力端子のうちの他方及び第１検出部１０２の入力端子に接続される。この接続切替えスイッチＳＷ２は、例えばトランジスタから構成される。
【００１８】
接続切替えスイッチ（接地切替えスイッチ）ＳＷ３は、信号線の接続及び解除を切替えるスイッチ回路であり、一端が上記一対の入出力端子のうちの一方に接続され、他端が接地される。これにより、接続切替えスイッチＳＷ３は、フォトカプラＰＣ２が有するフォトダイオードのカソードを接地可能とする。この接続切替えスイッチＳＷ３は、例えばトランジスタから構成される。
【００１９】
接続切替えスイッチ（第１入力切替えスイッチ）ＳＷ４は、信号線の接続及び解除を切替えるスイッチ回路であり、一端が接続切替えスイッチＳＷ１の他端に接続され、他端が第２検出部１０３の入力端子に接続される。この接続切替えスイッチＳＷ４は、例えばトランジスタから構成される。
【００２０】
なお図２では、上記接続切替えスイッチＳＷ１〜ＳＷ４を、バイポーラトランジスタスイッチから構成した場合を示している。
【００２１】
制御部１０４は、第１，２検出部１０２，１０３による監視を行う際及びコマンド信号（電源アンサ要求信号等）を送る際に接続切替えスイッチＳＷ１〜ＳＷ４を制御する機能（状態確認部１０４１、接続確認部１０４２、コマンド送信部１０４３）と、第１，２検出部１０２，１０３による監視結果に応じて遮断弁を制御する機能を有する。なお、制御部１０４は、システムＬＳＩ等の処理回路や、メモリ等に記憶されたプログラムを実行するＣＰＵ等により実現される。
【００２２】
状態確認部１０４１は、ガス警報器２によるガス漏れ検知を監視する場合に、接続切替えスイッチＳＷ１をオンに切替え、接続切替えスイッチＳＷ２〜ＳＷ４はオフとする。これにより、状態確認部１０４１は、電源１０１とフォトカプラＰＣ１が有するフォトトランジスタのコレクタとを接続し、当該フォトトランジスタのエミッタと第１検出部１０２の入力端子とを接続する。
【００２３】
接続確認部１０４２は、ガス警報器２の接続状態を監視する場合に、接続切替えスイッチＳＷ２，ＳＷ４をオンに切替え、接続切替えスイッチＳＷ１，ＳＷ３はオフとする。これにより、接続確認部１０４２は、電源１０１とフォトカプラＰＣ２が有するフォトダイオードのアノードとを接続し、当該フォトダイオードのカソードと第２検出部１０３の入力端子とを接続する。
【００２４】
コマンド送信部１０４３は、ガス警報器２に対してコマンド信号を送る場合に、接続切替えスイッチＳＷ２，ＳＷ３をオンに切替え、接続切替えスイッチＳＷ１，ＳＷ４はオフとする。これにより、コマンド送信部１０４３は、電源１０１とフォトカプラＰＣ２が有するフォトダイオードのアノードとを接続し、当該フォトダイオードのカソードを接地する。
【００２５】
なお、接続切替えスイッチＳＷ１〜ＳＷ４、及び、制御部１０４における状態確認部１０４１、接続確認部１０４２及びコマンド送信部１０４３は、インタフェース回路を構成する。
【００２６】
次に、実施の形態１に係るコントローラ回路１の動作例について、図１〜３を参照しながら説明する。
まず、ガス警報器２によるガス漏れ検知を監視する場合には、状態確認部１０４１は、接続切替えスイッチＳＷ１をオンに切替え、接続切替えスイッチＳＷ２〜ＳＷ４はオフとする。ここで、ガス警報器２がガス漏れを検知していない場合には、フォトカプラＰＣ１がオフであり、第１検出部１０２には電流（ガス漏れ警報信号）ｉ２が流れない。よって、第１検出部１０２は、ガス警報器２がガス漏れを検知していないことを確認できる。一方、ガス警報器２がガス漏れを検知した場合には、フォトカプラＰＣ１がオンになり、第１検出部１０２に電流ｉ２が流れる。よって、第１検出部１０２は、ガス警報器２がガス漏れを検知したことを確認できる。
またこの際、接続切替えスイッチＳＷ４はオフのままであるため、第２検出部１０３には電流ｉ２による無駄な電流が流れない。よって、その分、低消費電力化が可能となる。
【００２７】
また、ガス警報器２の接続状態を監視する場合には、接続確認部１０４２は、接続切替えスイッチＳＷ２，ＳＷ４をオンに切替え、接続切替えスイッチＳＷ１，ＳＷ３はオフとする。ここで、ガス警報器２が正常に接続されている場合には、フォトカプラＰＣ２のフォトダイオードを通じて、第２検出部１０３に電流（警報器未接続検知信号）ｉ０が流れる。よって、第２検出部１０３は、ガス警報器２が接続状態であることを確認できる。一方、ガス警報器２が正常に接続されていない場合には、第２検出部１０３には電流ｉ０が流れない。よって、第２検出部１０３は、ガス警報器２が未接続状態であることを確認できる。
【００２８】
また、ガス警報器２に対してコマンド信号（電流）ｉ１を送る場合には、コマンド送信部１０４３は、接続切替えスイッチＳＷ２，ＳＷ３をオンに切替え、接続切替えスイッチＳＷ１，ＳＷ４はオフとする。これにより、ガス警報器２にコマンド信号ｉ１を送ることができる。
【００２９】
以上のように、この実施の形態１によれば、一端が接続切替えスイッチＳＷ１の他端に接続され、他端が第２検出部１０３の入力端子に接続される接続切替えスイッチＳＷ４を備えたので、第１検出部１０２で監視を行っている場合に、第２検出部１０３に無駄な電流が流れることを回避できる。その結果、従来構成に対して低消費電力化が可能となる。具体的には、実施の形態１に係るインタフェース回路では、従来構成に対し、インタフェース回路全体の平均消費電流を１／３以下にまで削減可能となる。
【００３０】
実施の形態２．
図４はこの発明の実施の形態２に係るインタフェース回路を有するコントローラ回路１の構成例を示すブロック図である。この図４に示す実施の形態２に係るコントローラ回路１では、図１に示す実施の形態１に係るコントローラ回路１に対し、ダイオード（第１ダイオード）Ｄ１を追加し、接続切替えスイッチＳＷ４の制御方法を変更している。その他の構成は同様であり、同一の符号を付して異なる部分についてのみ説明を行う。
【００３１】
ダイオードＤ１は、アノードが接続切替えスイッチＳＷ２の他端に接続され、カソードが上記一対の入出力端子のうちの他方及び第１検出部１０２の入力端子に接続される。すなわち、接続切替えスイッチＳＷ２は、ダイオードＤ１を介して、他端が上記一対の入出力端子のうちの他方及び第１検出部１０２の入力端子に接続される。
【００３２】
また、実施の形態２における接続切替えスイッチＳＷ４は、接続切替えスイッチＳＷ２とダイオードＤ１との間に流れる電流により動作する。すなわち、実施の形態２における制御部１０４では、接続切替えスイッチＳＷ４を直接は制御せず、接続切替えスイッチＳＷ２を制御することで接続切替えスイッチＳＷ４を連動させて制御する。制御部１０４が接続切替えスイッチＳＷ２をオンに切替えれば接続切替えスイッチＳＷ４も連動してオンに切替わり、接続切替えスイッチＳＷ２がオフの場合には接続切替えスイッチＳＷ４もオフのままとなる。
【００３３】
具体的には、状態確認部１０４１は、ガス警報器２によるガス漏れ検知を監視する場合に、接続切替えスイッチＳＷ１をオンに切替え、接続切替えスイッチＳＷ２，ＳＷ３はオフとする。なお、接続切替えスイッチＳＷ４は、接続切替えスイッチＳＷ２に連動してオフのままである。
また、接続確認部１０４２は、ガス警報器２の接続状態を監視する場合に、接続切替えスイッチＳＷ２をオンに切替え、接続切替えスイッチＳＷ１，ＳＷ３はオフとする。なお、接続切替えスイッチＳＷ４は、接続切替えスイッチＳＷ２に連動してオンに切替わる。
また、コマンド送信部１０４３は、ガス警報器２に対してコマンド信号を送る場合に、接続切替えスイッチＳＷ２，ＳＷ３をオンに切替え、接続切替えスイッチＳＷ１はオフとする。なお、接続切替えスイッチＳＷ４は、接続切替えスイッチＳＷ２に連動してオンに切替わる。
【００３４】
このように、接続切替えスイッチＳＷ２と接続切替えスイッチＳＷ４を連動させるように構成しても、実施の形態１と同様の効果を得ることができる。なおこの場合には、図５に示すように、ガス警報器２に対してコマンド信号ｉ１を送る場合にも、接続切替えスイッチＳＷ４がオンに切替わる。しかしながら、通常は、第２検出部１０３のインピーダンスが高いため、ＧＮＤとショートする接続切替えスイッチＳＷ３側へ電流が流れる。
【００３５】
実施の形態３．
図６はこの発明の実施の形態３に係るインタフェース回路を有するコントローラ回路１の構成例を示すブロック図である。この図６に示す実施の形態３に係るコントローラ回路１では、図１に示す実施の形態１に係るコントローラ回路１に対し、接続切替えスイッチ（第２入力切替えスイッチ）ＳＷ５を追加し、制御部１０４は接続切替えスイッチＳＷ５も制御する。その他の構成は同様であり、同一の符号を付して異なる部分についてのみ説明を行う。
【００３６】
接続切替えスイッチＳＷ５は、信号線の接続及び解除を切替えるスイッチ回路であり、一端が上記一対の入出力端子のうちの他方に接続され、他端が第１検出部１０２の入力端子に接続される。この接続切替えスイッチＳＷ５は、例えばトランジスタから構成される。そして、実施の形態３における接続切替えスイッチＳＷ２では、接続切替えスイッチＳＷ５を介して、他端が第１検出部１０２の入力端子に接続される。
【００３７】
また、実施の形態３における制御部１０４では、第１，２検出部１０２，１０３による監視を行う際及びコマンド信号を送る際に接続切替えスイッチＳＷ１〜ＳＷ５を制御する。
【００３８】
具体的には、状態確認部１０４１は、ガス警報器２によるガス漏れ検知を監視する場合に、接続切替えスイッチＳＷ１，ＳＷ５をオンに切替え、接続切替えスイッチＳＷ２〜ＳＷ４はオフとする。
また、接続確認部１０４２は、ガス警報器２の接続状態を監視する場合に、接続切替えスイッチＳＷ２，ＳＷ４をオンに切替え、接続切替えスイッチＳＷ１，ＳＷ３，ＳＷ５はオフとする。
また、コマンド送信部１０４３は、ガス警報器２に対してコマンド信号を送る場合に、接続切替えスイッチＳＷ２，ＳＷ３をオンに切替え、接続切替えスイッチＳＷ１，ＳＷ４，ＳＷ５はオフとする。
【００３９】
次に、実施の形態３に係るコントローラ回路１の動作例について、図６，７を参照しながら説明する。
まず、ガス警報器２によるガス漏れ検知を監視する場合には、状態確認部１０４１は、接続切替えスイッチＳＷ１，ＳＷ５をオンに切替え、接続切替えスイッチＳＷ２〜ＳＷ４はオフとする。ここで、ガス警報器２がガス漏れを検知していない場合には、フォトカプラＰＣ１がオフであり、第１検出部１０２には電流（ガス漏れ警報信号）ｉ２が流れない。よって、第１検出部１０２は、ガス警報器２がガス漏れを検知していないことを確認できる。一方、ガス警報器２がガス漏れを検知した場合には、フォトカプラＰＣ１がオンになり、第１検出部１０２に電流ｉ２が流れる。よって、第１検出部１０２は、ガス警報器２がガス漏れを検知したことを確認できる。
またこの際、接続切替えスイッチＳＷ４はオフのままであるため、第２検出部１０３には電流ｉ２による無駄な電流が流れない。よって、その分、低消費電力化が可能となる。
【００４０】
また、ガス警報器２の接続状態を監視する場合には、接続確認部１０４２は、接続切替えスイッチＳＷ２，ＳＷ４をオンに切替え、接続切替えスイッチＳＷ１，ＳＷ３，ＳＷ５はオフとする。ここで、ガス警報器２が正常に接続されている場合には、フォトカプラＰＣ２のフォトダイオードを通じて、第２検出部１０３に電流（警報器未接続検知信号）ｉ０が流れる。よって、第２検出部１０３は、ガス警報器２が接続状態であることを確認できる。一方、ガス警報器２が正常に接続されていない場合には、第２検出部１０３には電流ｉ０が流れない。よって、第２検出部１０３は、ガス警報器２が未接続状態であることを確認できる。
またこの際、接続切替えスイッチＳＷ５はオフのままであるため、第１検出部１０２には電流ｉ０による無駄な電流が流れない。よって、その分、低消費電力化が可能となる。
【００４１】
また、ガス警報器２に対してコマンド信号ｉ１を送る場合には、コマンド送信部１０４３は、接続切替えスイッチＳＷ２，ＳＷ３をオンに切替え、接続切替えスイッチＳＷ１，ＳＷ４，ＳＷ５はオフとする。これにより、ガス警報器２にコマンド信号ｉ１を送ることができる。
またこの際、接続切替えスイッチＳＷ５はオフのままであるため、第１検出部１０２には電流ｉ１による無駄な電流が流れない。よって、その分、低消費電力化が可能となる。
【００４２】
以上のように、この実施の形態３によれば、一端が上記一対の入出力端子のうちの他方に接続され、他端が第１検出部１０２の入力端子に接続される接続切替えスイッチＳＷ５を備えたので、実施の形態１における効果に加え、第２検出部１０３で監視を行っている場合及びガス警報器２に対してコマンド信号を送る場合に、第１検出部１０２に無駄な電流が流れることを回避できる。その結果、更なる低消費電力化が可能となる。
【００４３】
なお上記では、図１に示す実施の形態１に係るコントローラ回路１に対して接続切替えスイッチＳＷ５を追加した場合を示した。しかしながら、これに限らず、図４に示す実施の形態２に係るコントローラ回路１に対して接続切替えスイッチＳＷ５を追加してもよい。
【００４４】
なおこの場合には、状態確認部１０４１は、ガス警報器２によるガス漏れ検知を監視する場合に、接続切替えスイッチＳＷ１，ＳＷ５をオンに切替え、接続切替えスイッチＳＷ２，ＳＷ３はオフとする。なお、接続切替えスイッチＳＷ４は、接続切替えスイッチＳＷ２に連動してオフのままである。
また、接続確認部１０４２は、ガス警報器２の接続状態を監視する場合に、接続切替えスイッチＳＷ２をオンに切替え、接続切替えスイッチＳＷ１，ＳＷ３，ＳＷ５はオフとする。なお、接続切替えスイッチＳＷ４は、接続切替えスイッチＳＷ２に連動してオンに切替わる。
また、コマンド送信部１０４３は、ガス警報器２に対してコマンド信号を送る場合に、接続切替えスイッチＳＷ２，ＳＷ３をオンに切替え、接続切替えスイッチＳＷ１，ＳＷ５はオフとする。なお、接続切替えスイッチＳＷ４は、接続切替えスイッチＳＷ２に連動してオンに切替わってしまうが、通常は、第２検出部１０３のインピーダンスが高いため、ＧＮＤとショートする接続切替えスイッチＳＷ３側へ電流が流れる。
【００４５】
実施の形態４．
図８はこの発明の実施の形態４に係るインタフェース回路を有するコントローラ回路１の構成例を示すブロック図である。この図８に示す実施の形態４に係るコントローラ回路１では、図６に示す実施の形態３に係るコントローラ回路１に対し、ダイオード（第２ダイオード）Ｄ２を追加し、接続切替えスイッチＳＷ５の制御方法を変更している。その他の構成は同様であり、同一の符号を付して異なる部分についてのみ説明を行う。
【００４６】
ダイオードＤ２は、アノードが接続切替えスイッチＳＷ１の他端に接続され、カソードが上記一対の入出力端子のうちの一方及び接続切替えスイッチＳＷ４の一端に接続される。すなわち、接続切替えスイッチＳＷ１は、ダイオードＤ２を介して、他端が上記一対の入出力端子のうちの一方に接続される。
【００４７】
また、実施の形態４における接続切替えスイッチＳＷ５は、接続切替えスイッチＳＷ１とダイオードＤ２との間に流れる電流により動作する。すなわち、実施の形態４における制御部１０４では、接続切替えスイッチＳＷ５を直接は制御せず、接続切替えスイッチＳＷ１を制御することで接続切替えスイッチＳＷ５を連動させて制御する。制御部１０４が接続切替えスイッチＳＷ１をオンに切替えれば接続切替えスイッチＳＷ５も連動してオンに切替わり、接続切替えスイッチＳＷ１がオフの場合には接続切替えスイッチＳＷ５もオフのままとなる。なお、接続切替えスイッチＳＷ１〜ＳＷ５の動作タイミングは図７と同様である。
【００４８】
具体的には、状態確認部１０４１は、ガス警報器２によるガス漏れ検知を監視する場合に、接続切替えスイッチＳＷ１をオンに切替え、接続切替えスイッチＳＷ２〜ＳＷ４はオフとする。なお、接続切替えスイッチＳＷ５は、接続切替えスイッチＳＷ１に連動してオンに切替わる。
また、接続確認部１０４２は、ガス警報器２の接続状態を監視する場合に、接続切替えスイッチＳＷ２，ＳＷ４をオンに切替え、接続切替えスイッチＳＷ１，ＳＷ３はオフとする。なお、接続切替えスイッチＳＷ５は、接続切替えスイッチＳＷ１に連動してオフのままである。
また、コマンド送信部１０４３は、ガス警報器２に対してコマンド信号を送る場合に、接続切替えスイッチＳＷ２，ＳＷ３をオンに切替え、接続切替えスイッチＳＷ１，ＳＷ４はオフとする。なお、接続切替えスイッチＳＷ５は、接続切替えスイッチＳＷ１に連動してオフのままである。
【００４９】
このように、接続切替えスイッチＳＷ１と接続切替えスイッチＳＷ５を連動させるように構成しても、実施の形態３と同様の効果を得ることができる。
【００５０】
また、図９に示すように、接続切替えスイッチＳＷ２と接続切替えスイッチＳＷ４を連動させ、更に、接続切替えスイッチＳＷ１と接続切替えスイッチＳＷ５を連動させてもよい。この場合、接続切替えスイッチＳＷ１〜ＳＷ５の動作タイミングは図１０に示す通りとなる。
【００５１】
具体的には、状態確認部１０４１は、ガス警報器２によるガス漏れ検知を監視する場合に、接続切替えスイッチＳＷ１をオンに切替え、接続切替えスイッチＳＷ２，ＳＷ３はオフとする。なお、接続切替えスイッチＳＷ４は、接続切替えスイッチＳＷ２に連動してオフのままであり、接続切替えスイッチＳＷ５は、接続切替えスイッチＳＷ１に連動してオンに切替わる。
また、接続確認部１０４２は、ガス警報器２の接続状態を監視する場合に、接続切替えスイッチＳＷ２をオンに切替え、接続切替えスイッチＳＷ１，ＳＷ３はオフとする。なお、接続切替えスイッチＳＷ４は、接続切替えスイッチＳＷ２に連動してオンに切替わり、接続切替えスイッチＳＷ５は、接続切替えスイッチＳＷ１に連動してオフのままである。
また、コマンド送信部１０４３は、ガス警報器２に対してコマンド信号を送る場合に、接続切替えスイッチＳＷ２，ＳＷ３をオンに切替え、接続切替えスイッチＳＷ１はオフとする。なお、接続切替えスイッチＳＷ５は、接続切替えスイッチＳＷ１に連動してオフのままである。また、接続切替えスイッチＳＷ４は、接続切替えスイッチＳＷ２に連動してオンに切替わってしまうが、通常は、第２検出部１０３のインピーダンスが高いため、ＧＮＤとショートする接続切替えスイッチＳＷ３側へ電流が流れる。
【００５２】
また、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００５３】
１  コントローラ回路
２  ガス警報器
１０１  電源
１０２  第１検出部
１０３  第２検出部
１０４  制御部
１０４１  状態確認部
１０４２  接続確認部
１０４３  コマンド送信部
ＰＣ１  フォトカプラ
ＰＣ２  フォトカプラ
ＳＷ１  接続切替えスイッチ（第１出力切替えスイッチ）
ＳＷ２  接続切替えスイッチ（第２出力切替えスイッチ）
ＳＷ３  接続切替えスイッチ（接地切替えスイッチ）
ＳＷ４  接続切替えスイッチ（第１入力切替えスイッチ）
ＳＷ５  接続切替えスイッチ（第２入力切替えスイッチ）
Ｄ１  ダイオード（第１ダイオード）
Ｄ２  ダイオード（第２ダイオード）
【図１】
2018025501.tif 000003
【図２】
2018025501.tif 000004
【図３】
2018025501.tif 000005
【図４】
2018025501.tif 000006
【図５】
2018025501.tif 000007
【図６】
2018025501.tif 000008
【図７】
2018025501.tif 000009
【図８】
2018025501.tif 000010
【図９】
2018025501.tif 000011
【図１０】
2018025501.tif 000012